(57)【特許請求の範囲】
【請求項１】
壁面の外側寄りに位置させる前方と、前記壁面の内側寄りに位置させる後方とを有し、前記壁面の内側に位置する光ファイバケーブル端末の第１コネクタを収納して前記第１コネクタを前記壁面に取り付けることが可能であり、前記前方に前記壁面の外側にある光ファイバケーブル端末の第２コネクタを挿入するための開口が形成されている光ファイバケーブル用コネクタのハウジングであって、
前記開口の内側には上下にスライドするシャッタが設けられていて、前記シャッタが常態では下方へスライドして前記開口が閉じた状態にあり、前記シャッタが上方へスライドすると前記開口が開いて前記壁面の外側にある前記第２コネクタを前記第１コネクタに接続可能であり、
前記開口の近傍には、前記シャッタの前記上方へのスライドを一時的に阻止して前記開口を閉じた状態に維持することが可能な前記シャッタに対するストッパ手段が設けられており、
前記ストッパ手段として、前記ハウジングの前記前方に形成された開口周縁部の内側に取り付けられていて前記前後方向に直交する横方向へ往復運動して前記シャッタに接触離間が可能であり、接触したときに前記シャッタの前記上方へのスライドを阻止するスライダが設けられ、前記スライダには前記開口周縁部の外側へ突出して前記往復運動する前記スライダを操作可能な摘持部が形成されていることを特徴とする前記ハウジング。
【発明の詳細な説明】
【技術分野】
【０００１】
この発明は、光ファイバケーブル用コネクタを壁面に取り付けるときに使用するのに好適なハウジングに関する。
【背景技術】
【０００２】
従来、壁面の内側に位置する光ファイバケーブルと壁面の外側に位置する光ファイバケーブルとを接続するためのコネクタを壁面に取り付けるときに使用するハウジングは公知ないし周知である。例えば、特許第２７１９３４９号公報（特許文献１）に開示された埋込型光コンセントは、取付枠を介して壁面に取り付けられるボディと、このボディに取り付けられて壁面内に配線された光ファイバケーブルと壁面外の光伝送機器の光ファイバケーブルとを接続する光コネクタとを備えている。この光コネクタは、光ファイバケーブルの先端が挿入されるスリーブと、このスリーブが収納されるハウジング本体とを有する。
【特許文献１】特許第２７１９３４９号公報
【発明の開示】
【発明が解決しようとする課題】
【０００３】
特許文献１に記載されたハウジング本体は、角筒状のもので、壁面に対してその内外面間を貫通するように取り付けられて、壁面内の光ファイバケーブルがスリーブに挿入される。かかる光コネクタでは、壁面内の光ファイバケーブルから壁面外に向かって光が常時発せられている。それゆえ、光コネクタに壁面外の光ファイバケーブルが接続されていないと、壁面内の光ファイバケーブルからの光が人の眼に入ることがあり得る。しかし、そのようなことは安全衛生上の問題として避けることが好ましい。
【０００４】
この発明が課題とするところは、そのような壁面内の光ファイバケーブルからの光が人の眼に入ることを防止可能な光ファイバケーブル用コネクタのハウジングを提供することにある。
【課題を解決するための手段及び発明の効果】
【０００５】
前記課題を解決するために、この発明が対象とするのは、壁面の外側寄りに位置させる前方と、前記壁面の内側寄りに位置させる後方とを有し、前記壁面の内側に位置する光ファイバケーブル端末の第１コネクタを収納して前記コネクタを壁面に取り付けることが可能であり、前記前方に前記壁面の外側にある光ファイバケーブル端末の第２コネクタを挿入するための開口が形成されている光ファイバケーブル用コネクタのハウジングである。
【０００６】
かかるハウジングにおいて、この発明が特徴とするところは、次のとおりである。前記開口の内側には、上下にスライドするシャッタが設けられていて、前記シャッタが常態では下方へスライドして前記開口が閉じた状態にあり、前記シャッタが上方へスライドすると前記開口が開いて前記壁面外側にある前記第２コネクタを前記第１コネクタに接続可能である。前記開口の近傍には、前記シャッタの前記上方へのスライドを一時的に阻止して前記開口を閉じた状態に維持することが可能な前記シャッタに対するストッパ手段が設けられている。
前記ストッパ手段としては、前記ハウジングの前記前方に形成された開口周縁部の内側に取り付けられており前記前後方向に直交する横方向へ往復運動して前記シャッタに接触離間が可能であり接触したときに前記シャッタの前記上方へのスライドを阻止するスライダが設けられている。前記スライダには、前記開口周縁部の外側へ突出して前記往復運動する前記スライダを操作可能な摘持部が形成されている。
【０００７】
請求項１に係るかような発明によれば、壁面の内側に位置する光ファイバケーブルの第１コネクタがハウジングに収納され、そのハウジングでは、壁面の外側に位置する光ファイバケーブルの第２コネクタを挿入するための開口がストッパ手段付きのシャッタで閉じているから、壁面の内側に位置する光ファイバケーブルからの光はストッパを操作してシャッタをスライドさせない限り、人の眼に入ることがない。
【０００９】
また、スライダを横方向へスライドさせれば、ストッパ手段がシャッタに作用する。このスライダは、ハウジングの開口周縁部とは別体のものとして作られるので、開口周縁部とは性状や色調の異なる素材のものにすることができる。
【発明を実施するための最良の形態】
【００１２】
添付の図面を参照して、この発明に係る光ファイバケーブル用のハウジングの詳細を説明すると、以下のとおりである。
【００１３】
図１に斜視図で示された光ファイバケーブル用のハウジング１は、仮想線で示された壁２の前面に形成された開口に取り付けられているもので、壁２の内側にある一対の光ファイバケーブル３の端末に取り付けられたコネクタ４（図２参照）が収納されている。ハウジング１の前方は壁２の外側寄りにあり、後方は壁２の内側寄りにあって、その前方にはシャッタ６と、ストッパ手段７（図２参照）の摘持部８とが設けられている。シャッタ６は、それに画かれた矢印の示す方向、即ちハウジング１の上方へスライド可能であって、そのようにスライドすると、ハウジング１の開口１１が開く。摘持部８は、ハウジング１の前後方向に直交する横方向Ａへスライド可能であって、図の右方、即ちシャッタ６に接近する方向へスライドしたときに、シャッタ６に接触して、その上方へのスライドを一時的に阻止することができ、図の左方、即ちシャッタ６から離間する方向へスライドしたときには、シャッタ６に対する接触が解けてシャッタ６の上方へのスライドが可能になる。ハウジング１の外周面には、ハウジング１を壁２に取り付けるときに使用する複数のフック部１２が形成されている
【００１４】
図２は、ハウジング１の分解斜視図である。ハウジング１は、フロントパネル１６と、リアボックス１７と、シャッタ６と、ストッパ手段７とを有する。
【００１５】
フロントパネル１６は、後方へ延びる４本の係合爪２１を使用することによってリアボックス１７に取り外し可能に組み付けられるもので、壁２の外側にある光ファイバケーブル（図示せず）の端末に設けられた外部コネクタを挿入するための開口１１と、ストッパ手段７を操作するための窓２２とを有する。開口１１は、横方向Ａへ水平に延びる頂縁２６と、頂縁２６の両端から下方へ垂直に延びる一対の互いに平行な側縁２７とによって画成されており、フロントパネル６の内面側には、側縁２７のそれぞれに沿ってシャッタ６に対する案内溝２８が形成されている。
【００１６】
リアボックス１７は、コネクタ収納部３１と、ストッパ手段７のスライダ９がスライド可能に収まるスライダ収納部３２と、フロントパネル１６の係合爪２１が離脱可能に嵌合する透孔３３とを有する。コネクタ収納部３１には、光ファイバケーブル３に取り付けられたコネクタ４が納められており、図１においてシャッタ６を上方へスライドさせると、ハウジング１の開口１１にそのコネクタ４が現われ、このコネクタ４に外部コネクタを接続することができる。
【００１７】
シャッタ６は、フロントパネル１６の内側に位置するもので、両側縁部３６のそれぞれをフロントパネル１６の案内溝２８のそれぞれに納めることで、ハウジング１の上下方向へスライド可能になる。シャッタ６の前面中央には、スライドさせるときに使用する摘み３７が形成されている。
【００１８】
シャッタ６の上方へのスライドを一時的に阻止するためのストッパ手段７は、スライダ９と、リアボックス１７のスライダ収納部３２とで形成されている。スライダ９は、摘持部８と、上下一対のプレート状のばね部３８，３９とを有し、これらばね部３８，３９が上下方向へ弾性変形可能に形成されている。収納部３２は、上下方向で対向する上面部４１と下面部４２とを有し、これら両面部４１，４２間の寸法は、一対のばね部３８，３９間の外寸とほぼ同じであるか、またはその外寸よりも小さく形成されている。一対のばね部３８，３９は、好ましくは互いに接近する方向へ僅かに弾性変形した状態で両面部４１，４２間に前方から収納されて、収納部３２におけるスライダ９の横方向Ａへの往復スライド運動が可能になる。ばね部３８，３９がリアボックス１７の垂直壁４３または４４（図４を併せて参照）に接触すると、スライダ９のスライド運動が停止する。スライダ９を収納部３２に納めてから、シャッタ６が取り付けられたフロントパネル１６をリアボックス１７に組み付けると、スライダ９における摘持部８がフロントパネル１６の窓２２の外へ出て、図１のハウジング１が得られる。
【００１９】
図３，４は、図１のＩＩＩ−ＩＩＩ線矢視図と、図３のＩＶ−ＩＶ線矢視図であって、ストッパ手段７の詳細が示されている。ただし、図４において、シャッタ６は仮想線で示されている。図１の摘持部８は右方にスライドしてシャッタ６の上方へのスライドを阻止している状態にあり、その状態を示す図３の断面図では、スライダ９の部位４０がシャッタ６の頂部３５の直上に位置することによって、シャッタ６の上方へのスライドを阻止していることが明らかにされている。スライダ９のばね部３８，３９のそれぞれは、スライダ収納部３２の上面部４１と、下面部４２とに密着した状態、より好ましくは圧着した状態にある。図４に示されているように、ばね部３８は上方へ向かっての突起部４６を有し、ばね部３９は下方へ向かっての突起部４７を有する一方、スライダ収納部３２における上面部４１は、突起部４６が嵌合離脱する二条の溝部５１，５２を有し、下面部４２は突起部４７が嵌合離脱する二条の溝部５３，５４を有する。スライダ９が横方向Ａへスライドするときには、ばね部３８，３９が弾性変形して突起部４６，４７のそれぞれが溝部５１と５２との間、および溝部５３と５４との間を移動する。突起部４６，４７が図示の如く溝部５２，５４に嵌合すると、ストッパ手段７がシャッタ６に作用した状態にあり、スライダ９によってシャッタ６の上方へのスライドが阻止されている。突起部４６，４７が溝部５１，５２に嵌合すると、ストッパ手段７の作用が解けてシャッタ６は上方へのスライドが可能になる。スライダ９は、これらの溝部５１，５２，５３，５４のいずれかに嵌合することによって横方向Ａへ徒にスライドすることがない。
【産業上の利用可能性】
【００２１】
この発明によれば、光ファイバケーブルのコネクタからの光が人の眼に入ることを防止できるハウジングの製造が可能になる。
【図面の簡単な説明】
【００２２】
【図１】ハウジングの斜視図。
【図２】ハウジングの分解斜視図。
【図３】図１のＩＩＩ−ＩＩＩ線断面図。
【図４】図３のＩＶ−ＩＶ線断面図。
【符号の説明】
【００２３】
１    ハウジング
２    光ファイバケーブル
４    第１コネクタ
６    シャッタ
７    ストッパ手段
８    摘持部
９    スライダ
１１    開口
Ａ    横方向
【図１】
0004342368.tif 000002
【図２】
0004342368.tif 000003
【図３】
0004342368.tif 000004
【図４】
0004342368.tif 000005